(57)【要約】【課題】室内の気になる臭いを脱臭するために使用される脱臭装置であって、適切なイオンを供給し無駄な消費電力を低減することができる脱臭装置を提供することを目的とする。【解決手段】シューズクロークに空気を送り出す送風手段１５と、前記シューズクローク内の空気を吸い込む吸込口５と、吸込口ロから吸い込まれた空気を浄化する空気清浄ユニットと、吸込口５から吸い込まれた空気を前記シューズクロークに吹き出す吹出口６と、イオン７を発生させるイオン発生部１７と、を備えた本体ケース３に前記シューズクロークで発生した臭いを検知するニオイ検知手段２０と、ニオイ検知手段２０により検知した臭いに基づいてイオン７の発生量を制御する制御部１９と、を備えた脱臭装置。【選択図】図２
2018051115.tif 000002
【特許請求の範囲】
【請求項１】
室内に空気を送り出す送風手段と、
前記室内の空気を吸い込む吸込口と、
前記吸込口から吸い込まれた空気を浄化する空気清浄ユニットと、
前記吸込口から吸い込まれた空気を前記室内に吹き出す吹出口と、
イオンを発生させるイオン発生部と、を備えた本体に、
前記室内で発生した臭いを検知するニオイ検知手段と、
前記ニオイ検知手段により検知した臭いに基づいてイオンの発生量を制御する制御部と、を備えた脱臭装置。
【請求項２】
前記本体に靴の有無を検知する検知手段を備えた請求項１に記載の脱臭装置。
【発明の詳細な説明】
【技術分野】
【０００１】
本発明は、脱臭装置に関するものである。
【背景技術】
【０００２】
従来、この種の脱臭装置は、ケーシング内に室内ファンと空気清浄ユニットを有し、化粧パネルに形成された吸込口から室内ファンの作用により吸い込まれた被処理空気を空気清浄ユニットで浄化した後、化粧パネルに形成された吹き出し口から室内に再び吹き出すものであった。（例えば、特許文献１参照）。
【先行技術文献】
【特許文献】
【０００３】
【特許文献１】特開２０１３−１３８９８０号公報
【発明の概要】
【発明が解決しようとする課題】
【０００４】
このような従来の脱臭装置においては、室内の広範囲にわたって長寿命のイオンを一定量供給し続けることで臭気強度を下げていたため過剰なイオンを供給し強いては消費電力を無駄にしていた恐れがあった、という課題を有していた。
【０００５】
そこで本発明は、上記従来の課題を解決するものであり、適切なイオンを供給し無駄な消費電力を低減することができる脱臭装置を提供することを目的とする。
【課題を解決するための手段】
【０００６】
そして、この目的を達成するために、本発明に係る脱臭装置は、
室内に空気を送り出す送風手段と、
前記室内の空気を吸い込む吸込口と、
前記吸込口から吸い込まれた空気を浄化する空気清浄ユニットと、
前記吸込口から吸い込まれた空気を前記室内に吹き出す吹出口と、
イオンを発生させるイオン発生部と、を備えた本体に、
前記室内で発生した臭いを検知するニオイ検知手段と、
前記ニオイ検知手段により検知した臭いに基づいてイオンの発生量を制御する制御部と、
を備えた、
ものであり、これにより所期の目的を達成するものである。
【発明の効果】
【０００７】
本発明によれば、
室内に空気を送り出す送風手段と、
前記室内の空気を吸い込む吸込口と、
前記吸込口から吸い込まれた空気を浄化する空気清浄ユニットと、
前記吸込口から吸い込まれた空気を前記室内に吹き出す吹出口と、
イオンを発生させるイオン発生部と、を備えた本体に、
前記室内で発生した臭いを検知するニオイ検知手段と、
前記ニオイ検知手段により検知した臭いに基づいてイオンの発生量を制御する制御部と、
を備えた、
という構成にしたことにより、吸込口から吸い込まれた室内の空気をニオイ検知手段に接触させて制御部へ検知の結果を送信し、前記制御部からニオイの強度によるイオンの発生量を制御部からイオン発生部へ指示してイオンを発生させることとなるので、適切なイオンを供給し無駄な消費電力を低減することができる、という効果を得ることができる。
【図面の簡単な説明】
【０００８】
【図１】本発明の実施の形態１の脱臭装置をシューズクロークへ設置した状態を示す側面図
【図２】同脱臭装置の断面図
【図３】同脱臭装置の制御部の構成を示すブロック図
【図４】同脱臭装置の動作の流れを示すフロー図
【発明を実施するための形態】
【０００９】
本発明に係る脱臭装置は、
室内に空気を送り出す送風手段と、
前記室内の空気を吸い込む吸込口と、
前記吸込口から吸い込まれた空気を浄化する空気清浄ユニットと、
前記吸込口から吸い込まれた空気を前記室内に吹き出す吹出口と、
イオンを発生させるイオン発生部と、を備えた本体に、
前記室内で発生した臭いを検知するニオイ検知手段と、
前記ニオイ検知手段により検知した臭いに基づいてイオンの発生量を制御する制御部と、
を備えた、
という構成を有する。これにより、吸込口から吸い込まれた室内の空気をニオイ検知手段に接触させて制御部へ検知の結果を送信し、前記制御部からニオイの強度によるイオンの発生量を制御部からイオン発生部へ指示してイオンを発生させる、こととなるので、適切なイオンを供給し無駄な消費電力を低減することができる、という効果を奏する。
【００１０】
また、
前記本体に靴の有無を検知する検知手段を備えた、
という構成にしてもよい。これにより、検知手段で靴を検知し、吸込口から吸い込まれた室内の空気をニオイ検知手段に接触させて制御部へ検知の結果を送信し、前記制御部からニオイの強度によるイオンの発生量を制御部からイオン発生部へ指示してイオンを発生させる、こととなるので、更にニオイの発生源をも考慮し適切なイオンを供給し無駄な消費電力を低減することができる、という効果をさらに高めることができる。
【００１１】
以下、本発明の実施の形態について図面を参照しながら説明する。
【００１２】
（実施の形態１）
図１は、本実施の形態１の脱臭装置１をシューズクローク２へ設置した状態を示す側面図である。
【００１３】
図１に示すように、脱臭装置１は、室内例えばシューズクローク２の内部に設置され、本体ケース３の下部に覆うようにルーバー４を備えている。ルーバー４は、吸込口５と吹出口６とを有しており、後述するように脱臭装置１の内部で生成されるイオン７が吹出口６を通してシューズクローク２に供給される。
【００１４】
シューズクローク２へ供給されたイオン７は、シューズクローク２内の空気を浄化するとともに、対象物である例えば臭いが付着した靴８に接触することで、対象物である靴８の脱臭などを行うことができる。
【００１５】
続いて、図２は、本実施の形態１の脱臭装置の断面図である。
【００１６】
図２は、脱臭装置１の内部構造を、ルーバー４を下に向けた時の状態として示す。脱臭装置１は、本体ケース３の内部でルーバー４の上部にフィルターユニット９を備えている。フィルターユニット９は、ケース１０とふた１１とで形成される収納空間に吸着フィルター１２が収納されている。吸着フィルター１２は後述するように、活性炭である吸着材が担持されたフィルターであり、空気中に含まれる臭気成分等を吸着除去するものである。
【００１７】
本体ケース３の内部において、フィルターユニット９の上部に、モーター１３とファン１４とからなる送風手段１５を備えている。破線矢印は空気の流れを示しており、送風手段１５の作用により吸込口５から本体ケース３内に吸引された空気は、補助フィルター１６とフィルターユニット９を通過した後、補助フィルター２５を通過して吹出口６からシューズクローク２に供給される。補助フィルター１６、２５は集塵フィルターであり、空気中に含まれる塵埃等を集塵除去するものである。
【００１８】
また、脱臭装置１の内部にはイオン発生部１７を備えている。イオン発生部１７は、イオン７を発生させる装置であり、具体的には、例えばナノイー（登録商標）の発生器が該当する。なお、ナノイー（登録商標）とは、水が高電圧を受けて、ナノサイズにまで分裂を繰り返したあとのイオンを指す。
【００１９】
電装基板１８は、図示しない室内電気配線から商用電源の供給を受けてイオン発生部１７およびモーター１３への電力供給と運転動作の制御を行う。電装基板１８上に制御部１９が搭載されており、制御部１９はマイクロコンピュータとして設けられているがその詳細については後述する。
【００２０】
また、脱臭装置１は、ニオイ検知手段２０と検知手段２１とを備えている。
【００２１】
ニオイ検知手段２０は、吸込口５から吸い込まれた空気が接触する本体ケース３の内部に設ける。ニオイ検知手段２０は、吸込口５から吸い込まれたシューズクローク２の空気の臭いを検知するニオイセンサーであり、検知結果が制御部１９に送信される。
【００２２】
検知手段２１は、ルーバー４の隙間から例えば光や超音波が通過できる本体ケース３の内部に設ける。
【００２３】
検知手段２１は、シューズクローク２での臭いの発生物、例えば靴を検知するセンサー（具体的には後述する）であり、靴８の有無の検知結果が制御部１９に送信される。
【００２４】
続いて、図３は、本発明の実施の形態１の脱臭装置の制御部１９の構成を示すブロック図である。
【００２５】
制御部１９は、マイクロコンピュータであり、ニオイ検知手段２０と、検知手段２１と、からの入力等に基づいてそれぞれアクチュエータを制御する。アクチュエータとは、送風手段１５と、イオン発生部１７が該当する。
【００２６】
また、制御部１９は、内部構成としてニオイ判定部２２と、判定部２３と、イオン発生量判定部２４とを備えている。内部構成とは、例えばマイクロコンピュータにて実行されるプログラムが該当する。
【００２７】
ニオイ判定部２２は、ニオイ検知手段２０によって検知した靴８の有無によってイオン発生量判定部２４を制御し、イオン発生部１７から発生するイオン７の発生量を変更させる。
【００２８】
判定部２３は、検知手段２１によって検知靴８（図１）の有無に基づいてイオン発生量判定部２４を制御し、イオン発生部１７から発生するイオン７の発生量を変更させる。具体的な検知手段としては、検知手段２１として、フォトセンサーの光や超音波センサーの超音波を発信させて、反射される光や超音波の受信によって靴８（図１）の有無を検知する。有である靴が存在する場合は発信した光や超音波は反射されて受信され、無である靴が存在しない場合は発信した光や超音波は反射されず受信しない、ということで靴の存在を検知する。
【００２９】
続いて、図４は本発明の実施の形態１の脱臭装置の動作の流れを示すフロー図である。ここで図４における「Ｓ」はステップ処理を意味する。
【００３０】
まず、商用電源の供給により脱臭装置１が運転を開始する。
【００３１】
脱臭装置１が運転を開始すると、ニオイ検知手段２０は、吸込口５から吸い込まれた室内としてのシューズクローク２の空気の臭いを検知する。（Ｓ１）
ニオイ判定部２２は、検知した臭いの強度が「強」かそれ以外かを判定する。（Ｓ２）
イオン発生量判定部２４は、ニオイ判定部２２による判定結果が「強」の場合、イオン発生部１７から発生するイオン７の発生量を増加させる。（Ｓ３）
また、イオン発生量判定部２４は、ニオイ判定部２２による判定結果が「強」以外の場合、イオン発生部１７から発生するイオン７の発生量を減少させる。（Ｓ４）
次に、検知手段２１は、シューズクローク２での臭いの発生物である靴８の有無を検知する。（Ｓ５）
判定部２３は、検知した靴８の個数がＮ個以上かそれ以外かを判定する。（Ｓ６）
イオン発生量判定部２４は、判定部２３による判定結果が「有」の場合、イオン発生部１７から発生するイオン７の発生量を増加させる。（Ｓ７）
また、イオン発生量判定部２４は、判定部２３による判定結果が「無」の場合、イオン発生部１７から発生するイオン７の発生量を減少させる。（Ｓ８）
最後に、商用電源の供給を止めることにより脱臭装置１の運転が停止する。
【００３２】
以上の構成にすることにより、適切なイオン７をシューズクローク２の内部へ供給し、無駄な消費電力を低減することができる。
【産業上の利用可能性】
【００３３】
本発明に係る脱臭装置は、適切なイオンを供給し無駄な消費電力を低減することができるものであるので、室内空気の脱臭、除菌などに広く使用される脱臭装置等として有用である。
【符号の説明】
【００３４】
１    脱臭装置
２    シューズクローク
３    本体ケース
４    ルーバー
５    吸込口
６    吹出口
７    イオン
８    靴
９    フィルターユニット
１０    ケース
１１    ふた
１２    吸着フィルター
１３    モーター
１４    ファン
１５    送風手段
１６    補助フィルター
１７    イオン発生部
１８    電装基板
１９    制御部
２０    ニオイ検知手段
２１    検知手段
２２    ニオイ判定部
２３    判定部
２４    イオン発生量判定部
２５    補助フィルター
【図１】
2018051115.tif 000003
【図２】
2018051115.tif 000004
【図３】
2018051115.tif 000005
【図４】
2018051115.tif 000006